(57)【要約】【課題】外部電源からの電力供給状態を常時確認することができ、電力非供給による不測の事態を回避する。【解決手段】画像処理装置１０に搭載された漏電遮断器１０２において、「スリープ０」モード中でも１０ｍｗ程度の電流が流れることを利用して、入力電源線２４の電流を電流検知装置１１０で検知し、コンセント抜けやオフタイマーのオフ起動による商用電源３１が入力電源線２４に取り込まれていないこと（以下、「電源入力遮断」という）を判別するようにした。この判別の結果、「電源入力遮断」状態をサブパネル８０の表示部８８に報知すると共に、「電源入力遮断」状態での通常モード復帰を禁止し、メインコントローラ１８の暴走、並びに記憶情報の消失を防止するようにした。【選択図】図４
2014220914.tif 000002
【特許請求の範囲】
【請求項１】
電源線を介して主電源部から電力の供給を受けて、処理部を制御する主制御部と、
前記主制御部の制御によって動作し、前記電源線を導通及び遮断する切替スイッチと、
前記主電源部と別電源から電力が供給され、前記電源線の切替スイッチよりも上流側部分に、前記主電源部から電力が供給されているか否かを判別する判別手段と、
前記切替スイッチによって前記主電源部から電力の供給が遮断された後、復帰指示に応じて前記主制御部を復帰させるのに必要な電力の供給を副電源部から受けると共に、前記復帰指示の際、前記判別手段で前記主電源部から電力が供給されていないと判別された場合は復帰動作を禁止する副制御部と、
を有する電力供給監視装置。
【請求項２】
電源線を介して主電源部から電力の供給を受けて、処理部を制御する主制御部と、
前記主制御部の制御によって動作し、前記電源線を導通及び遮断する切替スイッチと、
前記主電源部と別電源から電力が供給され、前記電源線の切替スイッチよりも上流側部分に、前記電源線から電力が供給されているか否かを判別する判別手段と、
前記切替スイッチによって前記主電源部から電力の供給が遮断された後、復帰指示に応じて前記主制御部を復帰させるのに必要な電力の供給を副電源部から受ける副制御部と、
前記判別手段による判別の結果、前記主電源部からの電力が供給されている場合は、当該主電源部による消費電力を表示部に表示し、前記主電源部からの電力が供給されていない場合は、当該主電源部の電力遮断に関する情報を表示部に表示する表示制御部と、
を有する電力供給監視装置。
【請求項３】
前記表示部及び前記表示制御部に対して電力を供給する蓄電デバイスをさらに有し、
前記表示部、前記表示制御部、及び前記蓄電デバイスが、独立した筐体で覆われてユニット化されている請求項２記載の電力供給監視装置。
【請求項４】
前記請求項１〜請求項３の何れか１項記載の電力供給監視装置を備え、
前記処理部が、
原稿画像を読み取るための画像読取部と、受け付けた情報に基づいて記録用紙へ画像を形成する画像形成部と、通信回線網を介して、画像情報の送受信を実行する通信回路部と、を含み、スキャン、複写、プリント、ファクシミリ送信、及びファクシミリ受信を含む処理形態から選択された処理形態の種類に基づいて、前記画像読取部、画像形成部、及びファクシミリ通信回路部の少なくとも１つを用いた処理を実行する画像処理装置。
【発明の詳細な説明】
【技術分野】
【０００１】
本発明は、電力供給監視装置、画像処理装置に関する。
【背景技術】
【０００２】
電力を必要とする処理装置、例えば、画像処理装置において、蓄電装置の利用により節電モード（「スリープモード」という場合がある）中の消費電力を０ｗにすることで、当該スリープモード中は、外部電源（商用電源のコンセント）からのＡＣ電力供給が必要なくなる（内部スイッチのオフ）。このため、通常はコンセントに接続されている電力引込線（画像処理装置側のＡＣケーブル）が抜かれても、スリープモードを維持し続けることが可能である。
【０００３】
一方、スリープモードから通常モードへの復帰（内部スイッチのオン）の際には、画像処理装置側のＡＣケーブルをコンセントに接続して電力を取り込む必要がある。この場合、例えば、画像処理装置側のＡＣケーブルとコンセントとの間に、オフタイマー機能付きタップがつながっていた場合、見た目の配線はつながっていても、画像処理装置には電力供給されていない場合がある。
【０００４】
特許文献１には、主装置に接続される付属装置のＡＣケーブル抜け検知方法が提案されている。この特許文献１では、付属装置へのＡＣ入力もしくはＬＶＰＳ（Low Voltage Power Supply）のＤＣ出力を検知することでＡＣケーブル抜けなのか制御装置の故障なのかを判断し、主装置の表示装置にＡＣケーブル抜け、若しくは装置通信故障を通知する。
【０００５】
また、特許文献２には、ＡＣ電源検知結果と電源スイッチの開閉状態を比較してＡＣケーブル抜けを検知する方法が提案されている。
【０００６】
さらに、特許文献３には、外部電源に代えてスリープモード時に蓄電装置を用いる処理装置において、ＡＣケーブル抜けを検知することが提案されている。この特許文献３では、スリープモード解除動作における最初の復帰動作（例えば、内部スイッチのオン）後に装置内ＬＶＰＳのＤＣ出力を検知することでＡＣケーブル抜けを検知する。言い換えれば、ＡＣケーブルから電力が供給されているか否かを常時監視しているのではなく、復帰動作に連動して、ＡＣケーブル抜けの検知を実行している。
【先行技術文献】
【特許文献】
【０００７】
【特許文献１】特開２０１０−２６２０２９号公報
【特許文献２】特開２０１２−１９６８３９号公報
【特許文献３】特開２０１１−２０５７８７号公報
【発明の概要】
【発明が解決しようとする課題】
【０００８】
本発明は、外部電源からの電力供給状態を常時確認することができ、電力非供給による不測の事態を回避することができる電力供給監視装置、画像処理装置を得ることが目的である。
【課題を解決するための手段】
【０００９】
請求項１に記載の発明は、電源線を介して主電源部から電力の供給を受けて、処理部を制御する主制御部と、前記主制御部の制御によって動作し、前記電源線を導通及び遮断する切替スイッチと、前記主電源部と別電源から電力が供給され、前記電源線の切替スイッチよりも上流側部分に、前記主電源部から電力が供給されているか否かを判別する判別手段と、前記切替スイッチによって前記主電源部から電力の供給が遮断された後、復帰指示に応じて前記主制御部を復帰させるのに必要な電力の供給を副電源部から受けると共に、前記復帰指示の際、前記判別手段で前記主電源部から電力が供給されていないと判別された場合は復帰動作を禁止する副制御部と、を有している。
【００１０】
請求項２に記載の発明は、電源線を介して主電源部から電力の供給を受けて、処理部を制御する主制御部と、前記主制御部の制御によって動作し、前記電源線を導通及び遮断する切替スイッチと、前記主電源部と別電源から電力が供給され、前記電源線の切替スイッチよりも上流側部分に、前記電源線から電力が供給されているか否かを判別する判別手段と、前記切替スイッチによって前記主電源部から電力の供給が遮断された後、復帰指示に応じて前記主制御部を復帰させるのに必要な電力の供給を副電源部から受ける副制御部と、前記判別手段による判別の結果、前記主電源部からの電力が供給されている場合は、当該主電源部による消費電力を表示部に表示し、前記主電源部からの電力が供給されていない場合は、当該主電源部の電力遮断に関する情報を表示部に表示する表示制御部と、を有している。
【００１１】
請求項３に記載の発明は、前記請求項２に記載の発明において、前記表示部及び前記表示制御部に対して電力を供給する蓄電デバイスをさらに有し、前記表示部、前記表示制御部、及び前記蓄電デバイスが、独立した筐体で覆われてユニット化されている。
【００１２】
請求項４に記載の発明は、前記請求項１〜請求項３の何れか１項記載の電力供給監視装置を備え、前記処理部が、原稿画像を読み取るための画像読取部と、受け付けた情報に基づいて記録用紙へ画像を形成する画像形成部と、通信回線網を介して、画像情報の送受信を実行する通信回路部と、を含み、スキャン、複写、プリント、ファクシミリ送信、及びファクシミリ受信を含む処理形態から選択された処理形態の種類に基づいて、前記画像読取部、画像形成部、及びファクシミリ通信回路部の少なくとも１つを用いた処理を実行する画像処理装置である。
【発明の効果】
【００１３】
請求項１、請求項２、及び請求項４記載の発明によれば、外部電源からの電力供給状態を常時確認することができ、電力非供給による不測の事態を回避することができる。
【００１４】
請求項３に記載の発明によれば、表示部、表示制御部、蓄電デバイスを、その他で構成される本体とは完全に別ユニットとして扱うことができる。
【図面の簡単な説明】
【００１５】
【図１】本実施の形態に係る画像処理装置の概略図であり、（Ａ）はコンセントが接続されている状態、（Ｂ）はコンセントが抜けている状態を示す。
【図２】本実施の形態に係る画像処理装置におけるＵＩ周辺の拡大図である。
【図３】本実施の形態に係る画像処理装置の制御系のブロック図である。
【図４】本実施の形態に係る画像処理装置における、電力供給線を主体とした配線図である（電流検出）。
【図５】サブパネルにおける電力供給監視制御ルーチンを示すフローチャートである。
【図６】サブコントローラにおける電力供給状態復帰制御ルーチンを示すフローチャートである。
【図７】変形例に係る画像処理装置における、電力供給線を主体とした配線図である（電圧検出）。
【発明を実施するための形態】
【００１６】
図１には、本実施の形態に係る画像処理装置１０が示されている。
【００１７】
画像処理装置１０は、記録用紙に画像を形成する画像形成部１２と、原稿画像を読み取る画像読取部１４と、ファクシミリ通信制御回路１６を備えている。画像処理装置１０は、メインコントローラ１８を備えており、画像形成部１２、画像読取部１４、ファクシミリ通信制御回路１６を制御して、例えば、画像読取部１４で読み取った原稿画像の画像データを一次的に記憶したり、読み取った画像データを画像形成部１２又はファクシミリ通信制御回路１６へ送出したりする。なお、画像読取部１４は上部筐体１０Ａに覆われ、画像形成部１２，ファクシミリ通信制御回路１６、メインコントローラ１８は下部筐体１０Ｂに覆われている。下部筐体１０Ｂのさらに下部は記録用紙を収容する複数段のトレイユニット５０が設けられている。
【００１８】
また、前記画像読取部１４を被覆する上部筐体１０Ａの上面かつ前方には、画像読取処理、複写処理、画像形成処理、送受信処理を含む処理動作（サービス）項目を指示したり、それぞれの処理動作の詳細設定を指示すると共に、画像処理装置１０の状態を表示するためのユーザーインターフェイス５２（以下、「ＵＩ５２」という場合がある。）が配置されている。ＵＩ５２には、表示画面に操作者の指等を接触することで指示可能なタッチパネル部４０と、機械的動作（例えば、押圧動作）で指示可能な複数のハードキー５４とが設けられている。
【００１９】
また、タッチパネル部４０に隣接するように、サブパネル８０が設けられている。本実施の形態では、このサブパネル８０は、前記ＵＩ５２に属さない、独立したユーザーインターフェイスとして機能する。
【００２０】
メインコントローラ１８にはインターネット等のネットワーク通信回線網２０が接続され、ファクシミリ通信制御回路１６には電話回線網２２が接続されている。メインコントローラ１８は、例えば、ネットワーク通信回線網２０を介してホストコンピュータと接続され、画像データを受信したり、ファクシミリ通信制御回路１６を介して電話回線網２２を用いてファクシミリ受信及びファクシミリ送信を実行する役目を有している。
【００２１】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２２】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２３】
本実施の形態では、上記画像形成部１２、画像読取部１４、ファクシミリ通信制御回路１６（以下、総称する場合「デバイス」という場合がある）を用いて、スキャン、複写、プリント、ファクシミリ送信、ファクシミリ受信、受信後のプリントを含むサービス（処理形態）が実行可能である。
【００２４】
画像処理装置１０には、入力電源線２４の先端にコンセント２６が取り付けられており、壁面Ｗまで配線された商用電源３１の配線プレート３２に、当該コンセント２６を差し込むことで、画像処理装置１０は、商用電源３１から、電力の供給を受けるようになっている。
【００２５】
なお、図１（Ａ）は、コンセント２６が配線プレート３２に差し込まれた状態であり、この場合、商用電源３１の電力が画像処理装置１０へ供給される。一方、図１（Ｂ）は、コンセント２６が配線プレート３２に差し込まれていない状態であり、この場合、商用電源３１の電力は画像処理装置１０へ供給されない。
【００２６】
また、図１（Ａ）に示すように、コンセント２６が配線プレート３２に差し込まれていても、例えば、オフタイマー機能付タップ（延長コードを含む）が介在されている場合は、見た目は図１（Ａ）のように電力供給状態であっても、画像処理装置１０に電力が供給されないことがある。
【００２７】
図２に示される如く、上部筐体１０Ａに設置されたＵＩ５２は、当該上部筐体１０Ａとは別部材とされたプレート５６上に設けられている。プレート５６の中央部には、タッチパネル部４０が配置されている。また、タッチパネル部４０の図２の左右のプレート５６の表面には、複数のハードキー５４Ａ〜５４Ｅ（図１では、総称してハードキー５４とした）が露出されている。
【００２８】
ハードキー５４Ａ〜５４Ｅは、それぞれ押圧操作によって予め決められた指示情報を確定するものであり、例えば、タッチパネル部４０の表示画面を基本画面に遷移させるためのメニューキー５４Ａ、複写を指定するためのコピーキー５４Ｂ、複写の部数を指定したり、暗唱番号を入力するためのテンキー５４Ｃ、節電を指示したり解除するための節電キー５４Ｄ、処理の実行を指示するためのスタートキー５４Ｅを備える。
【００２９】
また、前記プレート５６の図２の右下であり、スタートキー５４Ｅの近傍には、モニタ用ＬＥＤとして、データ送信中を表示するＬＥＤ７２Ａ、エラー発生を報知するためのＬＥＤ７２Ｂ、電源投入を報知するＬＥＤ７２Ｃが設けられている。
【００３０】
一方、前記プレート５６の図２の左側には、サブパネル８０が設けられている。本実施の形態では、サブパネル８０は、上部筐体１０Ａに設けられた矩形状の凹陥部５７に収容されている。
【００３１】
サブパネル８０は、全体を覆うカバー部材の表面（図２に示すように、凹陥部５７に収容された状態では上面）には、表示部８８が設けられている。
【００３２】
なお、このサブパネル８０は、前記凹陥部５７に収容された状態で固定されてもよいし、着脱可能としてもよい（図２の想像線参照）。また、サブパネル８０が着脱可能な場合、画像処理装置１０との間で情報通信を司るバス３３Ｅ、電流監視用の信号線１００（図２、図３参照）に相当する配線系統は、有線でもよいし、無線であってもよい。
【００３３】
なお、サブパネル８０の取付位置は限定されるものではなく、ＵＩ５２の周囲はもちろん、上部筐体１０Ａ、下部筐体１０Ｂを含み、何れに取り付けてもよいが、ユーザーから見易い位置を選択することが好ましい。また、サブパネル８０を着脱可能な構造とした場合は、仮設置場所を複数箇所設けてもよい。
【００３４】
サブパネル８０は、本実施の形態において、前記ＵＩ５２とサブパネル８０とを区別する理由は、電力の供給元が異なる点にあり、ＵＩ５２への電力供給が遮断されているときでも、別系統から電力の供給を受けて、告知情報の報知を行う役目を有する。
【００３５】
図３に示される如く、サブパネル８０は、独自の蓄電デバイス８２が設けられおり、電力供給線３５Ｅを介して制御部８４に接続されている。この蓄電デバイス８２は、ソーラーパネル８６による太陽光発電によって、充電されるようになっている。
【００３６】
また、サブパネル８０には、制御部８４の制御によって動作する表示部８８が設けられている。
【００３７】
なお、表示部８８は、バックライトを持たない液晶表示装置を適用し、現状で考え得る最小消費電力としたが、蓄電デバイス８２の蓄電量、或いは、ソーラーパネル８６の発電能力によって、バックライトを持つ表示部８８や、ＬＥＤ表示部であってもよい。さらに、操作機能を備えたタッチパネル式としてもよい。
【００３８】
上記のように、サブパネル８０は、画像処理装置１０から電力供給を受けず、独立した電源（蓄電デバイス８２）から受ける電力で動作し、メインコントローラ１８からバス３３Ｅを介して受け付ける稼働情報（例えば、各デバイスへの実行情報、動作モード（状態）情報を含む）に基づいて表示部８８に告知情報（主として、電力値情報）を表示する情報表示装置として機能する。
【００３９】
（画像処理装置の制御系）
図３は、画像処理装置１０の制御系のハード構成の概略図である。
【００４０】
ネットワーク回線網２０は、前記画像処理装置１０のメインコントローラ１８に接続されている。なお、ネットワーク通信回線網２０には、画像データを送信元等になり得るＰＣ（端末装置）２９が接続されている。
【００４１】
メインコントローラ１８には、それぞれ、データバスやコントロールバス等のバス３３Ａ〜３３Ｄを介して、ファクシミリ通信制御回路１６、画像読取部１４、画像形成部１２、ＵＩ５２が接続されている。すなわち、このメインコントローラ１８が主体となって、画像処理装置１０の各処理部が制御されるようになっている。
【００４２】
また、本実施の形態のメインコントローラ１８は、バス３３Ｅを介して、サブパネル８０の制御部８４に接続されている。
【００４３】
前記画像処理装置１０は、電源装置４２を備えており、メインコントローラ１８とは信号ハーネス４３で接続されている。
【００４４】
電源装置４２は、前記商用電源３１から配線プレート３２、コンセント２６を経て、入力電源線２４を介して電力の供給を受けている。
【００４５】
電源装置４２では、メインコントローラ１８、ファクシミリ通信制御回路１６、画像読取部１４、画像形成部１２、ＵＩ５２のそれぞれに対して独立して電力を供給する電力供給線３５Ａ〜３５Ｄが設けられている。このため、メインコントローラ１８では、各処理部（デバイス）に対して個別に電力供給（電力供給モード）、或いは電力供給制限（省エネモード）し、所謂部分節電制御を可能としている。
【００４６】
ところで、一般的な省エネモードでは、メインコントローラ１８以外のデバイスへの電力供給を遮断すると共に、メインコントローラ１８においても、外部（ネットワーク通信回線網２０や、電話回線網２２）からの情報の受付待機機能に必要な電力以外の電力を遮断している。この場合、電力として、１．５ｗ〜５ｗ程度が消費される。
【００４７】
これに対して、本実施の形態では、省エネモードとして、メインコントローラ１８に対しても、基本的に電力供給を遮断する「スリープ０」モードとしている。
【００４８】
「基本的に電力供給を遮断」という意味は、メインコントローラ１８が、商用電源３１（電源装置４２）からの電力を一切受けないが、外部からの情報受付待機機能、並びに「スリープ０」モード状態から通常モード状態に復帰させるために、主電源部である電源装置４２とは別の副電源部から電力供給を受けることを意味する。この「スリープ０」モードにおける消費電力は、前記一般的な消費電力（１．５ｗ〜５ｗ）に比べ、０．１ｗ以下となり、省エネ性が拡張される。前記サブパネル８０の表示部８８には、告知情報の１つとして、この「スリープ０」モード中の消費電力が表示可能となっている。
【００４９】
ここで、本実施の形態では、表示部８８での電力表示を１ｗ単位としている。従って、１ｗ未満の消費電力は、「スリープ０」モード中は、「０ｗ」の表示となる。
【００５０】
本実施の形態の画像処理装置１０は、漏電遮断器１０２（図４参照）が搭載されている。このため、コンセント２６が配線プレート３２に接続され、入力電源線２４と商用電源３１とが導通状態であると、漏電遮断器１０２に電流が流れ、１０ｍｗ（０．０１ｗ）程度の電力が消費される場合がある。このような、１ｗ未満の消費電力は、例えば、画像処理装置１０における最大消費電力（画像形成時の１３００ｗ）と比較すれば誤差の範囲として処理しても問題はない。
【００５１】
図３に示される如く、本実施の形態では、前記「スリープ０」モード期間中に、メインコントローラ１８へ電力を供給するための副電源部として、太陽光発電を利用した電源システムが適用されている。
【００５２】
すなわち、画像処理装置１０には、ソーラーパネル９２が設置されている。ソーラーパネル９２は、例えば、上部筐体１０Ａや下部筐体１０Ｂ（図１参照）の表面の全部又は一部に貼り付けてもよいし、画像処理装置１０から離して配置するようにしてもよい。
【００５３】
ソーラーパネル９２は、専用配線９４を介して蓄電デバイス９６に接続されている。蓄電デバイス９６に充電されている電力は、電力供給線９８を介してメインコントローラ１８に送出可能となっている。
【００５４】
メインコントローラ１８には、電源切替部１８Ａとサブコントローラ１８Ｓが設けられている。電源切替部１８Ａでは、電力供給元を、通常モード時は前記電源装置４２（主電源部）に切り替え、「スリープ０」モード時は蓄電デバイス９６（副電源部）に切り替える。なお、詳細は後述するが、図４に示される如く、「スリープ０」モード時には、入力電源線２４に介在される０ｗスイッチ１０４をオフとしているため、主電源スイッチ１０６がオン状態であっても、商用電源３１からの電力がＬＶＰＳ１０８に入力することはない。
【００５５】
サブコントローラ１８Ｓは、メインコントローラ１８の一部の機能であり、「スリープ０」モード期間中に起動し、前記節電キーの操作状態の監視、並びに、前述した外部からの情報受付待機、並びに「スリープ０」モード状態から通常モード状態に復帰させるプログラムを実行する。
【００５６】
なお、サブコントローラ１８Ｓは、メインコントローラ１８とは別体として設けてもよい。
【００５７】
図４は、本実施の形態の画像処理装置１０における、メインコントローラ１８に対して電力を供給するための配線を主体とした回路図が示されている。
【００５８】
一端部にコンセント２６が取り付けられた入力電源線２４の他端部は、漏電遮断器１０２に接続されている。すなわち、漏電遮断器１０２は、主電源スイッチ１０６よりも上流側に接続されている。
【００５９】
漏電遮断器１０２では、画像処理装置１０内の電力配線の漏電を監視しており、仮に漏電があった場合には、画像処理装置１０の最入力端で電力供給が遮断される。
【００６０】
前記主電源スイッチ１０６は、ユーザーの意思で画像処理装置１０に商用電源３１からの電力を投入する役目を有している。この主電源スイッチ１０６は、０ｗスイッチ１０４を介してＬＶＰＳ１０８に接続されている。
【００６１】
０ｗスイッチ１０４は、メインコントローラ１８からの指示信号に基づいてオン／オフする、ソフト的にオン／オフ制御されるスイッチである。通常モードから「スリープ０」モードへ移行するとき、この０ｗスイッチ１０４がオフされると共に、電源切替部１８Ａの接点切り替えによって、サブコントローラ１８Ｓに対して蓄電デバイス９６から電力が供給されるようになっている。
【００６２】
（電源遮断告知機能）
ここで、本実施の形態では、前記漏電遮断器１０２よりもさらに上流側となる入力電源線２４に電流検知装置１１０が取り付けられている。電流検知装置１１０は、入力電源線２４の周りにコイル部１１０Ａが配置され、電流と磁界との関係に基づいて入力電源線２４に流れる電流を計測する。
【００６３】
電流検知装置１１０は、信号線１００を介して、計測値信号をサブパネル８０の制御部８４へ送出するようになっている。サブパネル８０では、計測値信号を常に監視している。
【００６４】
サブパネル８０の制御部８４では、電流が流れているときにＨ信号、流れていないときにＬ信号となる２値信号を生成する。
【００６５】
ここで、Ｈ信号が生成された場合には、「スリープ０」モード中の電力値（「０ｗ」、若しくは、より高精度の場合は「０．０１ｗ」）を表示する。
【００６６】
一方、Ｌ信号が生成された場合には、取得した電流値に基づいて、消費電力を演算する。
【００６７】
また、上記監視において、Ｌ信号が生成されたた場合には、漏電遮断器１０２にも電力が供給されていない状態である。例えば、コンセント２６が抜けている、或いは、オフタイマー機能付タップでタイムアップしている等の理由で、入力電源線２４からの漏電遮断器１０２への電力供給が断たれていることが予測される。
【００６８】
そこで、サブパネル８０の制御部８４では、Ｌ信号が生成された場合、表示部８８に、商用電源３１からの入力（ＡＣ入力）が遮断されている旨の告知情報（例えば、「電源入力が遮断されています」、「ＡＣ入力が遮断されています」、「コンセント等を確認して下さい」等）を表示するようにしている。
【００６９】
（復帰制限機能）
また、「スリープ０」モード中、副電源である蓄電デバイス９６から電力を受けて、主として復帰指示の契機を監視しているサブコントローラ１８Ｓでは、例えば、ユーザーによる節電キー５４Ｄの復帰指示操作があると、メインコントローラ１８の全ての機能を回復するための復帰動作を実行する。このとき、消費電力が急激に上昇するため、電源切替部１８Ａにより電源系統を副電源から主電源に切替える。
【００７０】
ところが、この主電源への切り替えがあっても、前述のようにコンセントが抜けているような事態では、メインコントローラ１８を復帰させる電力を確保することができない場合がある。
【００７１】
そこで、本実施の形態では、「スリープ０」モードから通常モードへ復帰する際のサブコントローラ１８Ｓにおいて、前記サブパネル８０の制御部８４から、電力供給の有無を示す信号（Ｈ信号、Ｌ信号）を取得し、商用電源３１の取得の可否を判断するようにした。
【００７２】
より具体的には、サブコントローラ１８Ｓがサブパネル８０の制御部８４からＨ信号を受けると、通常モードへの復帰を実行する。一方、サブコントローラ１８Ｓがサブパネル８０の制御部８４からＬ信号を受けると、「スリープ０」モードを維持する。
【００７３】
以下、本実施の形態の作用を図５及び図６のフローチャートに従い説明する。
【００７４】
図５は、サブパネル８０の制御部８４における電力供給監視制御ルーチンを示すフローチャートである。
【００７５】
ステップ１５０では、電流検知装置１１０から信号を取得し、次いで、ステップ１５２へ移行して、取得した電流値に基づいてＨ信号／Ｌ信号を生成する。Ｈ信号は電源供給有りを示し、Ｌ信号は電源供給無しを示す。
【００７６】
次のステップ１５４では、前記ステップ１５２で生成した信号を判別する。ステップ１５４において、Ｈ信号と判別した場合は、０ｗスイッチ１０４までは商用電源３１からの電力が供給されていると判断し、ステップ１５６へ移行する。ステップ１５６では、電流値から電力値を演算し、次いでステップ１５８へ移行してサブパネル８０の表示部８８に、電力値を表示し、ステップ１５０へ戻る。
【００７７】
一方、ステップ１５４において、Ｌ信号と判別した場合は、入力電源線２４に商用電源部３１からの電力が供給されていないと判断し、ステップ１６０へ移行する。
【００７８】
ステップ１６０では、サブパネル８０の表示部８８に、ＡＣ遮断を報知して、ステップ１５０へ戻る。なお、メッセージとしては、「電源入力が遮断されています」、「ＡＣ入力が遮断されています」、「コンセント等を確認して下さい」等が考えられる。
【００７９】
ユーザーは、省エネ志向として、コンセント２６を抜く場合があり、「スリープ０」モード中にコンセント２６が抜かれた状態で復帰指示があると、電力不足によりメインコントローラ１８が正しく復帰しない場合がある。本実施の形態では、その要因を、サブパネル８０の表示部８８にメッセージを表示するようにしたため、ユーザーへのコンセント抜け等の報知が可能となる。
【００８０】
図６は、サブコントローラにおける電力供給状態復帰制御ルーチンを示すフローチャートである。
【００８１】
ステップ１７０では、復帰指示があったか否かが判断され、否定判定された場合はこのルーチンは終了する。また、ステップ１７０で肯定判定されると、ステップ１７２へ移行して、メインコントローラ１８に電力を供給して、一部の機能を復帰させる。このとき、「スリープ０」モード中の場合の電力は、蓄電デバイス９６からの電力でまかなう。
【００８２】
次のステップ１７４では、復帰指示が「スリープ０」モードからの復帰か否かが判断される。
【００８３】
このステップ１７４で否定判定された場合には、商用電源３１から電力の供給を受けている状態（例えば、５ｗ程度の電力で稼働する通常の省エネモード、或いはスタンバイモード）と判断し、ステップ１７６へ移行して通常復帰処理を実行し、このルーチンは終了する。
【００８４】
また、ステップ１７４で肯定判定された場合は、商用電源３１から電力の供給を受けていない状態（すなわち、「スリープ０」モード）と判断し、ステップ１７８へ移行して、サブパネル８０の制御部８４から電力供給有無信号（Ｈ信号／Ｌ信号）を取得して、ステップ１８０へ移行する。
【００８５】
ステップ１８０では、信号の種別を判別する。このステップ１８０でＨ信号と判別した場合は、少なくとも０ｗスイッチ１０４の上流側までは電力の供給を受けていると判断し、ステップ１８２へ移行して、スリープ復帰処理を実行する。このスリープ復帰処理では、まず、０ｗスイッチ１０４のオン制御から開始され、その後、電源切替部１８Ａでの電源切替処理が実行される。
【００８６】
また、ステップ１８０でＬ信号と判別した場合は、入力電源線２４に電力が供給されていないと判断し、ステップ１８４へ移行して、「スリープ０」モード移行の準備をし、次いでステップ１８６へ移行してメインコントローラ１８の電力供給を遮断（一部機能復帰の終了）して、このルーチンは終了する。
【００８７】
この結果、商用電源３１からの電力が供給されていない状態での復帰処理の実行が回避されるため、例えば、メインコントローラ１８における電力不足に起因するプログラム暴走、データ消失といった不具合の未然の防止が可能である。
【００８８】
本実施の形態では、画像処理装置１０に搭載された漏電遮断器１０２において、「スリープ０」モード中でも１０ｍｗ程度の電流が流れることを利用して、入力電源線２４の電流を電流検知装置１１０で検知し、コンセント抜けやオフタイマーのオフ起動による商用電源３１が入力電源線２４に取り込まれていないこと（以下、「電源入力遮断」という）を判別するようにした。この判別の結果、「電源入力遮断」状態をサブパネル８０の表示部８８に報知すると共に、「電源入力遮断」状態での通常モード復帰を禁止し、メインコントローラ１８の暴走、並びに記憶情報の消失を防止するようにした。
【００８９】
なお、本実施の形態では、画像処理装置１０に搭載された漏電遮断器１０２において、「スリープ０」モード中でも１０ｍｗ程度の電流が流れることを利用したが、漏電遮断器１０２が搭載されていない場合には、図７に示される如く、入力電源線２４に抵抗１１２を介して接地された配線１１４を施し、当該抵抗１１２間の電圧を検出し、サブパネル８０の制御部８４へ送出することで、「電源入力遮断」状態か否かを判別するようにしてもよい。
【符号の説明】
【００９０】
１０    画像処理装置
１０Ａ    上部筐体
１０Ｂ    下部筐体
１２    画像形成部
１４    画像読取部
１６    ファクシミリ通信制御回路
１８    メインコントローラ
１８Ａ    電源切替部
１８Ｓ    サブコントローラ
２０    ネットワーク通信回線網
２２    電話回線網
２４    入力電源線
２６    コンセント
２９    ＰＣ
３１    商用電源
３２    配線プレート
３３Ａ〜３３Ｅ    バス
３５Ａ〜３５Ｆ    電力供給線
４０    タッチパネル部
４２    電源装置
４３    ハーネス
５２    ユーザーインターフェイス（ＵＩ)
５６    プレート
５４    ハードキー
５４Ａ    メニューキー
５４Ｂ    コピーキー
５４Ｃ    テンキー
５４Ｄ    節電キー
５４Ｅ    スタートキー
８０    サブパネル
８２    蓄電デバイス
８４    制御部
８６    ソーラーパネル（サブパネル用）
８８    表示部
９２    ソーラーパネル（サブコントローラ用）
９４    専用配線
９６    蓄電デバイス
９８    電力供給線
１００    信号線
１０２    漏電遮断器
１０４    ０ｗスイッチ
１０６    主電源スイッチ
１０８    ＬＶＰＳ
１１０    電流検知装置
１１０Ａ    コイル部
【図１】
2014220914.tif 000003
【図２】
2014220914.tif 000004
【図３】
2014220914.tif 000005
【図４】
2014220914.tif 000006
【図５】
2014220914.tif 000007
【図６】
2014220914.tif 000008
【図７】
2014220914.tif 000009